(57)【特許請求の範囲】
【請求項１】
電池の劣化の有無を判定する劣化判定部と、
前記電池の表面の温度および前記電池の周囲温度のうち、少なくとも１つを測定する温度測定部と、
前記劣化判定部の判定結果と、前記温度測定部が測定した測定結果とに基づいて、前記電池の充電状態を制御するものであって、前記劣化判定部の判定結果が、前記電池が劣化していないことを示す場合においては、前記測定結果に応じて充電電圧を変更する第１の制御モードに基づくフロート充電によって前記電池の充電状態を制御し、前記劣化判定部の判定結果が、前記電池が劣化していることを示す場合においては、前記測定結果によらない所定の充電電圧によって充電する第２の制御モードに基づくフロート充電によって前記電池の充電状態を制御する、充電制御部と
を備え、
前記充電制御部は、
前記第１の制御モードにおいて、前記測定結果が前記電池が使用される環境の基準温度より低い値を示す場合、前記充電状態を前記電池の動作寿命に基づく基準状態より高い状態に制御し、前記測定結果が前記基準温度より高い値を示す場合、前記充電状態を前記基準状態より低い状態に制御し、前記第２の制御モードにおいて、前記充電状態を前記電池の動作寿命に基づく基準状態より低い状態に制御する
ことを特徴とする充電状態制御装置。
【請求項２】
前記充電状態とは、
前記電池が蓄電することができる電池容量と、前記電池に蓄積された電力の残量である残存容量との比である充電率に基づく状態である
ことを特徴とする請求項１に記載の充電状態制御装置。
【請求項３】
前記周囲温度を制御する周囲温度制御部
を更に備え、
前記周囲温度制御部は、
前記充電状態に応じて前記周囲温度を制御する
ことを特徴とする請求項１または請求項２に記載の充電状態制御装置。
【請求項４】
前記電池が設置される場所の現在の季節を判定する季節判定部
を更に備え、
前記充電制御部は、
前記季節判定部の判定結果が示す前記季節に基づいて、前記充電状態を制御する
ことを特徴とする請求項１から請求項３いずれか一項に記載の充電状態制御装置。
【請求項５】
前記電池が設置される場所の地域を判定する地域判定部
を更に備え、
前記充電制御部は、
前記地域判定部の判定結果が示す前記地域に基づいて、前記充電状態を制御する
ことを特徴とする請求項１から請求項４いずれか一項に記載の充電状態制御装置。
【請求項６】
前記電池が設置される場所の現在の時刻において、ある時間から前記ある時間とは異なる時間までの時間帯を判定する時間帯判定部
を更に備え、
前記充電制御部は、
前記時間帯判定部が判定する前記時間帯に基づいて、前記充電状態を制御する
ことを特徴とする請求項１から請求項５のいずれか一項に記載の充電状態制御装置。
【請求項７】
前記電池が使用される判定対象期間のうち、前記判定対象期間の開始から現在までの経過時間を判定する経過時間判定部
を更に備え、
前記充電制御部は、
前記経過時間判定部が判定する前記経過時間に基づいて、前記充電状態を制御する
ことを特徴とする請求項１から請求項６のいずれか一項に記載の充電状態制御装置。
【発明の詳細な説明】
【技術分野】
【０００１】
本発明は、充電状態制御装置に関する。
【背景技術】
【０００２】
従来、蓄電池を用いた無停電電源装置が知られている。この無停電電源装置では、主電源からの電力の供給が停止された場合に、主電源に代わって蓄電池が負荷に対して電力を供給するとともに、主電源から供給される電力を蓄電池に蓄積するものがある。このような無停電電源装置において、主電源からの電力の供給が停止された場合に、蓄電池が負荷に電力を供給可能な時間、つまりバックアップ時間は、蓄電池に蓄積されている電荷量に応じて決まる。
【０００３】
ここで、蓄電池に蓄積される蓄積電荷量をある量に保つため、蓄電池には、充放電が繰り返し行われる。蓄電池は、充放電が繰り返し行われることによって劣化する。
また、蓄電池は、充放電の他に使用環境の温度条件によっても劣化の進行の程度が変化する。例えば、蓄電池がマンガン系のリチウムイオン蓄電池である場合には、蓄電池が使用される環境の温度が高いと、蓄電池の劣化が進行やすい。
【０００４】
蓄電池は、上述したような劣化に伴い、蓄電池が蓄積電荷量を蓄積することができる容量（以下、電池容量と記載する。）が低下する。従来の技術では、劣化に伴い蓄電池の電池容量が低下することを抑制するため、様々な方式が検討されている。
【０００５】
例えば、特許文献１および特許文献２には、蓄電池の使用開始から所定の時間が経過するまで、すなわち、蓄電池の劣化が少ない場合には、蓄電池に蓄積される蓄積電荷量を低くすることによって劣化の進行を抑制する技術が記載されている。
【０００６】
また、特許文献３には、蓄電池をペルチェ素子によって冷却し、使用環境の温度を低く保つことによって、蓄電池の劣化の進行を抑制する技術が記載されている。
【先行技術文献】
【特許文献】
【０００７】
【特許文献１】特開２００５−２７８３２９号公報
【特許文献２】特開２００５−２７８３３４号公報
【特許文献３】特開２００６−１９６２９６号公報
【発明の概要】
【発明が解決しようとする課題】
【０００８】
しかしながら、特許文献１および特許文献２に記載される従来の技術では、蓄電池の劣化の進行を抑制するために蓄積電荷量が低く保たれると、蓄電池が負荷へ電力を供給することができるバックアップ時間を長くすることができないという問題があった。
【０００９】
これに対し、蓄電池に蓄積される蓄積電荷量を単純に増やした場合には、蓄電池が使用される環境の温度が高いと、蓄電池の劣化が進行しやすいという問題があった。
しかしながら、特許文献３に記載される従来の技術では、蓄電池のバックアップ時間を長くしつつ、温度による蓄電池の劣化の進行を抑制することが困難である場合があった。
【課題を解決するための手段】
【００１０】
本発明の一態様は、電池の劣化の有無を判定する劣化判定部と、前記電池の表面の温度および前記電池の周囲温度のうち、少なくとも１つを測定する温度測定部と、前記劣化判定部の判定結果と、前記温度測定部が測定した測定結果とに基づいて、前記電池の充電状態を制御するものであって、前記劣化判定部の判定結果が、前記電池が劣化していないことを示す場合においては、前記測定結果に応じて充電電圧を変更する第１の制御モードに基づくフロート充電によって前記電池の充電状態を制御し、前記劣化判定部の判定結果が、前記電池が劣化していることを示す場合においては、前記測定結果によらない所定の充電電圧によって充電する第２の制御モードに基づくフロート充電によって前記電池の充電状態を制御する、充電制御部とを備え、前記充電制御部は、前記第１の制御モードにおいて、前記測定結果が前記電池が使用される環境の基準温度より低い値を示す場合、前記充電状態を前記電池の動作寿命に基づく基準状態より高い状態に制御し、前記測定結果が前記基準温度より高い値を示す場合、前記充電状態を前記基準状態より低い状態に制御し、前記第２の制御モードにおいて、前記充電状態を前記電池の動作寿命に基づく基準状態より低い状態に制御する充電状態制御装置である。
【００１３】
本発明の一態様の充電状態制御装置において、前記充電状態とは、前記電池が蓄電することができる電池容量と、前記電池に蓄積された電力の残量である残存容量との比である充電率に基づく状態である。
【００１４】
本発明の一態様の充電状態制御装置において、前記周囲温度を制御する周囲温度制御部を更に備え、前記周囲温度制御部は、前記充電状態に応じて前記周囲温度を制御する。
【００１５】
本発明の一態様の充電状態制御装置において、前記電池が設置される場所の現在の季節を判定する季節判定部を更に備え、前記充電制御部は、前記季節判定部の判定結果が示す前記季節に基づいて、前記充電状態を制御する。
【００１６】
本発明の一態様の充電状態制御装置において、前記電池が設置される場所の地域を判定する地域判定部を更に備え、前記充電制御部は、前記地域判定部の判定結果が示す前記地域に基づいて、前記充電状態を制御する。
【００１７】
本発明の一態様の充電状態制御装置において、前記電池が設置される場所の現在の時刻において、ある時間から前記ある時間とは異なる時間までの時間帯を判定する時間帯判定部を更に備え、前記充電制御部は、前記時間帯判定部が判定する前記時間帯に基づいて、前記充電状態を制御する。
【００１８】
本発明の一態様の充電状態制御装置において、前記電池が使用される判定対象期間のうち、前記判定対象期間の開始から現在までの経過時間を判定する経過時間判定部を更に備え、前記充電制御部は、前記経過時間判定部が判定する前記経過時間に基づいて、前記充電状態を制御する。
【発明の効果】
【００２１】
本発明によれば、蓄電池のバックアップ時間を長くしつつ、蓄電池の劣化の進行を抑制することができる。
【図面の簡単な説明】
【００２２】
【図１】第１実施形態の充電状態制御装置と蓄電池との接続の一例を示す模式図である。
【図２】本実施形態の充電状態制御装置の構成の一例を示す構成図である。
【図３】本実施形態の基準制御電圧情報と、基準温度情報との関係の一例を示す表である。
【図４】本実施形態の充電状態制御装置の動作の一例を示す流れ図である。
【図５】本実施形態の蓄電池が劣化していないと判定された場合の蓄電池の充電状態の制御の動作の一例を示す流れ図である。
【図６】本実施形態の蓄電池が劣化していると判定された場合の蓄電池の充電状態の制御の動作の一例を示す流れ図である。
【図７】第２実施形態の充電状態制御装置の構成の一例を示す構成図である。
【図８】本実施形態の基準充電率情報と、基準温度情報との関係の一例を示す表である。
【図９】本実施形態の蓄電池が劣化していないと判定された場合の蓄電池の充電状態の制御の動作の一例を示す流れ図である。
【図１０】本実施形態の蓄電池が劣化していると判定された場合の蓄電池の充電状態の制御の動作の一例を示す流れ図である。
【図１１】第３実施形態の充電状態制御装置の構成の一例を示す構成図である。
【図１２】変形例１の基準制御電圧情報と、季節情報との関係の一例を示す表である。
【図１３】変形例２の基準制御電圧情報と、地域情報との関係の一例を示す表である。
【図１４】変形例３の基準制御電圧情報と、時間帯情報との関係の一例を示す表である。
【図１５】変形例４の基準制御電圧情報と、経過時間情報との関係の一例を示す表である。
【発明を実施するための形態】
【００２３】
［第１実施形態］
以下、図を参照して本発明の実施形態について説明する。図１は、第１実施形態の充電状態制御装置１と蓄電池ＢＴとの接続の一例を示す模式図である。
図１に示す通り、蓄電池ＢＴは、電源ＡＶに接続される。また、蓄電池ＢＴには、負荷Ｌが接続される。蓄電池ＢＴは、電源ＡＶから電力が供給される。蓄電池ＢＴは、電源ＡＶから供給される電力を蓄積する。また、蓄電池ＢＴは、蓄積された電力を負荷Ｌへ供給する。
ここで、蓄電池ＢＴとは、電池の一例である。本実施形態の電池とは、例えば、負極に炭素材系の材料またはチタン酸系の材料が用いられたリチウムイオン電池である。その他、鉛電池やニッケル水素電池等の各種二次電池をこれらのリチウムイオン電池に代えて適用することが可能である。
【００２４】
負荷Ｌに流れる電流が電源ＡＶから供給される電流より大きい場合、蓄電池ＢＴは、放電する。また、負荷Ｌに流れる電流が、電源ＡＶから供給される電流より小さい場合、蓄電池ＢＴは、充電する。また、負荷Ｌに流れる電流と、電源ＡＶから供給される電流とが、等しい場合、蓄電池ＢＴは、フロート充電する。すなわち、負荷Ｌに流れる電流と、電源ＡＶから供給される電流とに応じて、蓄電池ＢＴは、動作が異なる。
【００２５】
図１に示す通り、充電状態制御装置１には、電流計ＡＭと、電圧計ＶＭと、温度計ＴＭと、充電部５００とが接続される。
電圧計ＶＭは、電源ＡＶが蓄電池ＢＴへ印加する電圧の電圧値を計測する。電圧計ＶＭは、計測した電源ＡＶが蓄電池ＢＴへ印加する電圧の電圧値を示す電圧情報Ｖを充電状態制御装置１へ供給する。電流計ＡＭは、電源ＡＶから蓄電池ＢＴへ流れる電流の電流値を計測する。電流計ＡＭは、計測した電源ＡＶから蓄電池ＢＴへ流れる電流の電流値を示す電流情報Ｉを充電状態制御装置１へ供給する。
【００２６】
充電状態制御装置１は、電圧計ＶＭが計測した電圧情報Ｖを取得する。また、充電状態制御装置１は、電流計ＡＭが計測した電流情報Ｉを取得する。充電状態制御装置１は、電圧情報Ｖと、電流情報Ｉとに基づいて、蓄電池ＢＴの内部抵抗ＩＲを算出する。この一例では、充電状態制御装置１は、算出した蓄電池ＢＴの内部抵抗ＩＲに基づいて、蓄電池ＢＴの劣化の有無を判定する。
【００２７】
なお、上述では、充電状態制御装置１が蓄電池ＢＴの内部抵抗ＩＲに基づいて、蓄電池ＢＴの劣化の有無を判定する場合について説明したが、これに限られない。充電状態制御装置１は、蓄電池ＢＴの開放電圧に基づいて、蓄電池ＢＴの劣化の有無を判定してもよい。すなわち、充電状態制御装置１は、蓄電池ＢＴの劣化の有無が判定できれば、いずれの方法を用いてもよい。
【００２８】
充電部５００は、充電状態制御装置１が判定する蓄電池ＢＴの劣化の有無に応じて、既知の方法によって蓄電池ＢＴの充電状態を制御する。ここで、充電状態とは、蓄電池ＢＴのエネルギー密度の状態である。充電状態には、蓄電池ＢＴの放電電圧と、蓄電池ＢＴの充電電圧とが含まれる。具体的には、充電部５００は、充電状態制御装置１が判定する蓄電池ＢＴの劣化の有無に応じて、蓄電池ＢＴが放電する電圧である放電電圧または蓄電池ＢＴを充電する電圧である充電電圧を既知の方法によって制御する。
【００２９】
また、温度計ＴＭは、蓄電池ＢＴの温度を測定する。温度計ＴＭは、例えば、サーミスタを備える。この一例では、温度計ＴＭは、蓄電池ＢＴの表面に接して設置され、蓄電池ＢＴの表面の温度を測定する。充電状態制御装置１は、温度計ＴＭが測定した温度Ｔを取得する。充電状態制御装置１は、取得した蓄電池ＢＴの温度Ｔに基づいて、蓄電池ＢＴの充電状態を制御する。
【００３０】
なお、上述では、温度計ＴＭが蓄電池ＢＴの表面に接して設置され、蓄電池ＢＴの表面の温度を測定する場合について説明したが、これに限られない。温度計ＴＭは、蓄電池ＢＴの内部に設置され、蓄電池ＢＴの内部の温度を測定してもよい。また、温度計ＴＭは、蓄電池ＢＴの近傍に設置され、蓄電池ＢＴの周囲の温度を測定してもよい。すなわち、温度計ＴＭは、蓄電池ＢＴが使用される環境の温度を計測できれば、いずれの温度を検出してもよい。
【００３１】
以下、図２を参照して充電状態制御装置１の詳細について説明する。図２は、本実施形態の充電状態制御装置１の構成の一例を示す構成図である。
上述したように、充電状態制御装置１には、電流計ＡＭと、電圧計ＶＭと、温度計ＴＭと、充電部５００とが接続される。また、図２に示す通り、充電状態制御装置１は、制御部１００と、記憶部１５０とを備える。
【００３２】
記憶部１５０には、基準劣化情報ＳＤＧと、基準温度情報ＳＴと、基準制御電圧情報ＳＣＶと、劣化電圧情報ＤＣＶとが予め記憶される。
基準劣化情報ＳＤＧとは、蓄電池ＢＴの劣化の程度の基準である内部抵抗ＩＲの抵抗値を示す情報である。
蓄電池ＢＴが劣化していると判定された場合、蓄電池ＢＴの内部抵抗ＩＲは、基準劣化情報ＳＤＧが示す値より大きい。また、蓄電池ＢＴが劣化していないと判定された場合、蓄電池ＢＴの内部抵抗ＩＲは、基準劣化情報ＳＤＧが示す値より小さい。
すなわち、基準劣化情報ＳＤＧとは、内部抵抗ＩＲの閾値を示す情報である。
【００３３】
また、基準温度情報ＳＴとは、蓄電池ＢＴが使用される環境の温度の基準を示す情報である。
蓄電池ＢＴが使用される環境の温度が高い場合、温度計ＴＭが計測する蓄電池ＢＴの表面の温度を示す温度Ｔは、基準温度情報ＳＴが示す値よりより大きい。また、蓄電池ＢＴが使用される環境の温度が低い場合、温度計ＴＭが測定する蓄電池ＢＴの表面の温度を示す温度Ｔは、基準温度情報ＳＴが示す値より小さい。
すなわち、基準温度情報ＳＴとは、蓄電池ＢＴが使用される環境の温度の閾値を示す情報である。この一例では、蓄電池ＢＴが使用される環境の基準となる基準温度情報ＳＴが示す値が３０℃である。
【００３４】
また、基準制御電圧情報ＳＣＶとは、蓄電池ＢＴの充電状態の制御電圧値ＣＶを示す情報である。制御電圧値ＣＶとは、蓄電池ＢＴの充電状態の電圧値を示す値である。具体的には、制御電圧値ＣＶとは、蓄電池ＢＴの放電電圧および充電電圧の電圧値を示す値である。蓄電池ＢＴが充電状態である場合、放電電圧および充電電圧は、制御電圧値ＣＶに基づいて、制御電圧値ＣＶとなるように制御される。
この一例では、図２に示す通り、基準制御電圧情報ＳＣＶには、制御電圧値ＣＶ１と、制御電圧値ＣＶ２とが含まれる。
蓄電池ＢＴの充電状態は、蓄電池ＢＴの劣化の有無と、蓄電池ＢＴが使用される環境の温度とに基づいて、制御電圧値ＣＶ１または制御電圧値ＣＶ２に基づいて制御される。
具体的には、蓄電池ＢＴの充電状態は、蓄電池ＢＴが劣化していないと判定された場合であって、かつ蓄電池ＢＴが使用される環境の温度が基準温度情報ＳＴより低い場合には、制御電圧値ＣＶ１に基づいて制御される。また、蓄電池ＢＴの充電状態は、蓄電池ＢＴが劣化していないと判定された場合であって、かつ蓄電池ＢＴが使用される環境の温度が基準温度情報ＳＴより高い場合には、制御電圧値ＣＶ２に基づいて制御される。また、蓄電池ＢＴの充電状態は、蓄電池ＢＴが劣化していると判定された場合には、劣化電圧情報ＤＣＶに基づいて制御される。劣化電圧情報ＤＣＶについては後述する。
以下、図３を参照して、基準制御電圧情報ＳＣＶと、基準温度情報ＳＴとの関係について説明する。
【００３５】
図３は、本実施形態の基準制御電圧情報ＳＣＶと、基準温度情報ＳＴとの関係の一例を示す表である。
図３に示す通り、この一例では、温度Ｔが３０℃未満である場合、つまり温度Ｔが基準温度情報ＳＴより小さい場合には、蓄電池ＢＴの充電状態は、制御電圧値ＣＶ１に基づいて制御される。また、温度Ｔが３０℃以上である場合、つまり温度Ｔが基準温度情報ＳＴ以上である場合には、蓄電池ＢＴの充電状態は、制御電圧値ＣＶ２に基づいて制御される。
【００３６】
この一例では、蓄電池ＢＴの定格電圧が２．７Ｖである。また、図３に示すとおり、この一例では、制御電圧値ＣＶ１が示す値が２．７Ｖである。また、制御電圧値ＣＶ２が示す値が２．５Ｖである。
すなわち、制御電圧値ＣＶ１である２．７Ｖは、蓄電池ＢＴの定格電圧である。
また、制御電圧値ＣＶ２は、蓄電池ＢＴが過充電されることによる劣化を防ぐため、蓄電池ＢＴの充電状態および放電電圧を低く制御するための値である。つまり、制御電圧値ＣＶ２の値は、蓄電池ＢＴの動作寿命に基づいて設定された値である。この一例では、制御電圧値ＣＶ２は、蓄電池ＢＴの定格電圧である２．７Ｖの９０％を示す２．５Ｖである。
【００３７】
図２に戻り、劣化電圧情報ＤＣＶとは、蓄電池ＢＴが劣化していると判定された場合の、蓄電池ＢＴの充電状態の制御に用いられる情報である。この一例では、劣化電圧情報ＤＣＶは、２．５Ｖを示す。
【００３８】
制御部１００は、ＣＰＵ（Ｃｅｎｔｒａｌ  Ｐｒｏｃｅｓｓｉｎｇ  Ｕｎｉｔ）を備えており、劣化判定部１１０と、温度測定部１２０と、電圧制御部１３０とをその機能部として備える。
【００３９】
以下、図２と、図４とを参照して充電状態制御装置１が備える各部の動作と、充電状態制御装置１の動作とについて説明する。
図４は、本実施形態の充電状態制御装置１の動作の一例を示す流れ図である。
【００４０】
図２に示す通り、劣化判定部１１０は、電圧計ＶＭから電圧情報Ｖを取得する（図４  ステップＳ１１０）。この電圧情報Ｖは、電圧計ＶＭが計測した電圧値である。つまり、電圧情報Ｖは、蓄電池ＢＴに印加される電圧値を示す。
また、劣化判定部１１０は、電流計ＡＭから電流情報Ｉを取得する（図４  ステップＳ１２０）。この電流情報Ｉは、電流計ＡＭが計測した電流値である。つまり、電流情報Ｉは、電源ＡＶから蓄電池ＢＴに流れる電流値を示す。劣化判定部１１０は、取得した電圧情報Ｖと、電流情報Ｉとに基づいて、蓄電池ＢＴの内部抵抗ＩＲを算出する（図４  ステップＳ１３０）。劣化判定部１１０は、記憶部１５０から基準劣化情報ＳＤＧを読み出す（図４  ステップＳ１４０）。劣化判定部１１０は、算出した内部抵抗ＩＲと、基準劣化情報ＳＤＧとを比較して、蓄電池ＢＴが劣化しているか否かを判定する（図４  ステップＳ１５０）。劣化判定部１１０は、蓄電池ＢＴが劣化しているか否かを判定した結果である判定結果Ｊを電圧制御部１３０へ供給する。
【００４１】
電圧制御部１３０は、劣化判定部１１０から取得した判定結果Ｊが蓄電池ＢＴが劣化していないことを示す場合（図４  ステップＳ１５０；ＮＯ）、蓄電池ＢＴの充電状態を制御モードＭ１によって制御する（図４  ステップＳ１６０）。また、電圧制御部１３０は、劣化判定部１１０から取得した判定結果Ｊが蓄電池ＢＴが劣化していることを示す場合（図４  ステップＳ１５０；ＹＥＳ）、蓄電池ＢＴの充電状態を制御モードＭ２によって制御する（図４  ステップＳ１７０）。
以下、図２と、図５とを参照して、制御モードＭ１の詳細について説明する。
【００４２】
図５は、本実施形態の蓄電池ＢＴが劣化していないと判定された場合の蓄電池ＢＴの充電状態の制御の動作の一例を示す流れ図である。制御モードＭ１とは、温度Ｔに基づいて、蓄電池ＢＴの充電状態をバックアップ時間を優先する状態または蓄電池ＢＴの動作寿命に基づく状態に制御する制御方式である。制御モードＭ１の充電状態の制御の選択に用いられる温度Ｔは、温度測定部１２０が測定した測定結果ＭＲに示される温度Ｔである。つまり、制御モードＭ１とは、蓄電池ＢＴの表面の温度Ｔに基づいて、蓄電池ＢＴの充電状態を制御する制御方式である。
図２に示す通り、温度測定部１２０は、温度計ＴＭが計測した蓄電池ＢＴの表面の温度の値を示す温度Ｔを測定する（図５  ステップＳ３１０）。温度測定部１２０は、温度Ｔを示す測定結果ＭＲを電圧制御部１３０へ供給する（図５  ステップＳ３２０）。電圧制御部１３０は、記憶部１５０から基準温度情報ＳＴを読み出す（図５  ステップＳ３３０）。電圧制御部１３０は、測定結果ＭＲに示される温度Ｔと、基準温度情報ＳＴとに応じて、基準制御電圧情報ＳＣＶに含まれる制御電圧値ＣＶを、充電部５００へ供給する。
【００４３】
具体的には、図５に示す通り、電圧制御部１３０は、温度測定部１２０から取得した測定結果ＭＲに示される温度Ｔが基準温度情報ＳＴが示す値より小さいか否かを判定する（ステップＳ３４０）。測定結果ＭＲに示される温度Ｔが基準温度情報ＳＴが示す基準温度より小さい場合（ステップＳ３４０；ＹＥＳ）、電圧制御部１３０は、基準制御電圧情報ＳＣＶに含まれる制御電圧値ＣＶ１を充電部５００へ供給する（ステップＳ３５０）。充電部５００は、電圧制御部１３０から取得した制御電圧値ＣＶ１に基づいて、蓄電池ＢＴの充電状態が制御電圧値ＣＶ１となるように制御する（ステップＳ３６０）。
【００４４】
また、測定結果ＭＲに示される温度Ｔが基準温度情報ＳＴが示す値より大きい場合（ステップＳ３４０；ＮＯ）、電圧制御部１３０は、基準制御電圧情報ＳＣＶに含まれる制御電圧値ＣＶ２を充電部５００へ供給する（ステップＳ３７０）。充電部５００は、電圧制御部１３０から取得した制御電圧値ＣＶ２に基づいて、蓄電池ＢＴの充電状態が制御電圧値ＣＶ２となるように制御する（ステップＳ３８０）。
以降の説明において、制御電圧値ＣＶ１と、制御電圧値ＣＶ２とを特に区別しない場合には、総称して制御電圧値ＣＶと記載する。
【００４５】
ここで、制御電圧値ＣＶ１と、制御電圧値ＣＶ２とでは、制御電圧値ＣＶ１の方が電圧値が高い。すなわち、蓄電池ＢＴの充電状態は、制御電圧値ＣＶ１に基づいて制御される充電状態と、制御電圧値ＣＶ２に基づいて制御される充電状態とでは、前者の方が高い充電状態であり、後者の方が低い充電状態である。
また、上述したように、制御電圧値ＣＶ２の値は、蓄電池ＢＴの動作寿命に基づいて、設定された値である。すなわち、制御電圧値ＣＶ２に基づいて蓄電池ＢＴの充電状態が制御される場合、蓄電池ＢＴの充電状態とは、蓄電池ＢＴの動作寿命に基づく状態である。
以降の説明において、制御電圧値ＣＶ２に基づいて制御された蓄電池ＢＴの充電状態を基準状態と記載する。
すなわち、電圧制御部１３０は、蓄電池ＢＴの充電状態を制御電圧値ＣＶ１に基づいて制御することにより、蓄電池ＢＴの充電状態を基準状態より高い状態に制御する。また、電圧制御部１３０は、蓄電池ＢＴの充電状態を制御電圧値ＣＶ２に基づいて制御することにより、蓄電池ＢＴの充電状態を基準状態に制御する。
【００４６】
これにより、充電状態制御装置１は、蓄電池ＢＴが劣化していないと判定された場合であって、かつ蓄電池ＢＴが使用される環境の温度が低い場合、蓄電池ＢＴの充電状態を基準状態より高い状態に制御する。
また、充電状態制御装置１は、蓄電池ＢＴが劣化していないと判定された場合であって、かつ蓄電池ＢＴが使用される環境の温度が高い場合、蓄電池ＢＴの充電状態を基準状態に制御する。
【００４７】
なお、上述では、充電状態制御装置１は、蓄電池ＢＴが劣化していないと判定された場合であって、かつ蓄電池ＢＴが使用される環境の温度が高い場合、蓄電池ＢＴの充電状態を基準状態に制御する場合について説明したが、これに限られない。充電状態制御装置１は、蓄電池ＢＴが劣化していないと判定された場合であって、かつ蓄電池ＢＴが使用される環境の温度が高い場合には、蓄電池ＢＴの状態を基準状態より低い状態に制御してもよい。
すなわち、充電状態制御装置１は、蓄電池ＢＴが劣化していないと判定された場合であって、かつ蓄電池ＢＴが使用される環境の温度が高い場合、蓄電池ＢＴの充電状態を基準状態より低い状態に制御してもよい。
【００４８】
次に、図６を参照して制御モードＭ２について説明する。図６は、本実施形態の蓄電池ＢＴが劣化していると判定された場合の蓄電池ＢＴの充電状態の制御の動作の一例を示す流れ図である。制御モードＭ２とは、蓄電池ＢＴの動作寿命に基づいて、蓄電池ＢＴの充電状態を制御する制御方式である。
図６に示す通り、電圧制御部１３０は、記憶部１５０から劣化電圧情報ＤＣＶを読み出す（ステップＳ４１０）。電圧制御部１３０は、劣化電圧情報ＤＣＶを充電部５００へ供給する（ステップＳ４２０）。上述したように、この一例では、劣化電圧情報ＤＣＶが２．５Ｖである。充電部５００は、電圧制御部１３０から取得した劣化電圧情報ＤＣＶに基づいて、蓄電池ＢＴの充電状態が劣化電圧情報ＤＣＶ（２．５Ｖ）となるように制御する（ステップＳ４３０）。
【００４９】
以上説明したように、充電状態制御装置１には、電圧計ＶＭと、電流計ＡＭと、温度計ＴＭと、充電部５００とが接続される。また、充電状態制御装置１は、制御部１００と、記憶部１５０とを備える。
制御部１００は、劣化判定部１１０と、温度測定部１２０と、電圧制御部１３０とをその機能部として備える。
劣化判定部１１０は、蓄電池ＢＴの劣化の有無を判定する。温度測定部１２０は、温度計ＴＭが計測する蓄電池ＢＴの表面の温度Ｔを測定する。
【００５０】
電圧制御部１３０は、劣化判定部１１０の判定結果Ｊと、温度測定部１２０が測定した蓄電池ＢＴの表面の温度Ｔを示す測定結果ＭＲとに基づいて、充電部５００へ制御電圧値ＣＶを供給する。充電部５００は、電圧制御部１３０から取得した制御電圧値ＣＶに基づいて、蓄電池ＢＴが充電される充電電圧と、蓄電池ＢＴが放電する電圧を示す放電電圧とのうち、少なくとも一方の電圧を蓄電池ＢＴの充電状態として制御する。
ここで、上述した通り、蓄電池ＢＴの充電状態とは、蓄電池ＢＴのエネルギー密度の状態である。
すなわち、本実施形態の充電状態制御装置１によれば、蓄電池ＢＴの充電状態であるエネルギー密度の状態を、蓄電池ＢＴの充電電圧または放電電圧によって制御することができる。
【００５１】
電圧制御部１３０は、劣化判定部１１０の判定結果Ｊが蓄電池ＢＴが劣化していないことを示す場合には、蓄電池ＢＴの充電状態を制御モードＭ１に基づいて制御する。制御モードＭ１は、温度Ｔに基づいて、蓄電池ＢＴの充電状態をバックアップ時間を優先する状態または蓄電池ＢＴの動作寿命に基づく状態に制御する制御方式である。制御モードＭ１の制御の選択に用いられる温度Ｔは、温度測定部１２０が測定した測定結果ＭＲに示される温度Ｔである。つまり、制御モードＭ１は、温度測定部１２０が測定した測定結果ＭＲに示される温度Ｔに基づいて、蓄電池ＢＴの充電状態を制御する制御方式である。
【００５２】
具体的には、電圧制御部１３０は、劣化判定部１１０の判定結果Ｊが蓄電池ＢＴが劣化していないことを示す場合において、測定結果ＭＲに示される温度Ｔが、基準温度情報ＳＴより低い値を示す場合、蓄電池ＢＴの充電状態を制御電圧値ＣＶ１に基づいて制御する。すなわち、電圧制御部１３０は、劣化判定部１１０の判定結果Ｊが蓄電池ＢＴが劣化していないことを示す場合において、測定結果ＭＲに示される温度Ｔが蓄電池ＢＴが使用される環境の基準温度情報ＳＴより低い値を示す場合、蓄電池ＢＴの充電状態を蓄電池ＢＴの動作寿命に基づく基準状態より高い状態に制御する。
【００５３】
また、電圧制御部１３０は、劣化判定部１１０の判定結果Ｊが蓄電池ＢＴが劣化していないことを示す場合において、測定結果ＭＲに示される温度Ｔが基準温度情報ＳＴより高い値を示す場合、蓄電池ＢＴの充電状態を制御電圧値ＣＶ２に基づいて制御する。すなわち、電圧制御部１３０は、劣化判定部１１０の判定結果Ｊが蓄電池ＢＴが劣化していないことを示す場合において、測定結果ＭＲに示される温度Ｔが基準温度情報ＳＴより高い値を示す場合、蓄電池ＢＴの充電状態を蓄電池ＢＴの動作寿命に基づく基準状態より低い状態に制御する。
【００５４】
また、電圧制御部１３０は、劣化判定部１１０の判定結果Ｊが蓄電池ＢＴが劣化していることを示す場合において、蓄電池ＢＴの充電状態を制御モードＭ２に基づいて制御する。制御モードＭ２は、蓄電池ＢＴが劣化していると判定された場合の、蓄電池ＢＴの充電状態の制御方式である。
具体的には、電圧制御部１３０は、蓄電池ＢＴの充電状態を劣化電圧情報ＤＣＶに基づいて制御する。これにより、電圧制御部１３０は、劣化判定部１１０の判定結果Ｊが蓄電池ＢＴが劣化していることを示す場合において、蓄電池ＢＴの充電状態を蓄電池ＢＴの動作寿命に基づく基準状態より低い状態に制御する。
【００５５】
［第２実施形態］
以下、図を参照して本発明の第２実施形態について説明する。図７は、第２実施形態の充電状態制御装置２の構成の一例を示す構成図である。なお、上述した第１実施形態と同様の構成および動作については、同一の符号を付してその説明を省略する。
図７に示す通り、充電状態制御装置２には、電流計ＡＭと、電圧計ＶＭと、温度計ＴＭと、充電部５００−１とが接続される。
【００５６】
充電部５００−１は、充電状態制御装置２が判定する蓄電池ＢＴの劣化の有無に応じて、既知の方法によって蓄電池ＢＴの充電状態を制御する。充電状態には、充電率が含まれる。ここで、充電率とは、蓄電池ＢＴが蓄電することができる容量である電池容量に対する当該蓄電池ＢＴに蓄積された電力の残量の割合である。充電部５００−１は、充電状態制御装置２が判定する蓄電池ＢＴの劣化の有無に応じて、蓄電池ＢＴの充電率を既知の方法によって制御する。
【００５７】
また、本実施形態の充電状態制御装置２は、制御部２００と、記憶部２５０とを備える。
記憶部２５０には、基準劣化情報ＳＤＧと基準温度情報ＳＴと基準充電率情報ＳＣＲと劣化充電率情報ＤＣＲとが記憶される。
【００５８】
基準充電率情報ＳＣＲとは、蓄電池ＢＴの充電状態の制御充電率ＣＲを示す情報である。制御充電率ＣＲとは、蓄電池ＢＴの充電状態の充電率を示す割合である。具体的には、蓄電池ＢＴの充電状態である充電率は、制御充電率ＣＲに基づいて、制御充電率ＣＲとなるように制御される。
この一例では、図７に示す通り、基準充電率情報ＳＣＲには、制御充電率ＣＲ１と、制御充電率ＣＲ２とが含まれる。
蓄電池ＢＴの充電状態は、蓄電池ＢＴが劣化していないと判定された場合であって、かつ蓄電池ＢＴが使用される環境の温度が基準温度情報ＳＴより低い場合には、制御充電率ＣＲ１に基づいて制御される。また、蓄電池ＢＴの充電状態は、蓄電池ＢＴが劣化していないと判定された場合であって、かつ蓄電池ＢＴが使用される環境の温度が基準温度情報ＳＴより高い場合には、制御充電率ＣＲ２に基づいて制御される。また、蓄電池ＢＴの充電状態は、蓄電池ＢＴが劣化していると判定された場合には、劣化充電率情報ＤＣＲに基づいて制御される。劣化充電率情報ＤＣＲについては後述する。
以下、図８を参照して、基準充電率情報ＳＣＲと、基準温度情報ＳＴとの関係について説明する。
【００５９】
図８は、本実施形態の基準充電率情報ＳＣＲと、基準温度情報ＳＴとの関係の一例を示す表である。
図８に示す通り、この一例では、温度Ｔが３０℃未満である場合、つまり温度Ｔが基準温度情報ＳＴより小さい場合には、蓄電池ＢＴの充電状態は、制御充電率ＣＲ１に基づいて制御される。また、温度Ｔが３０℃以上である場合、つまり温度Ｔが基準温度情報ＳＴ以上である場合には、蓄電池ＢＴの充電状態は、制御充電率ＣＲ２に基づいて制御される。
【００６０】
図８に示す通り、この一例では、制御充電率ＣＲ１は、１００％である。また、制御充電率ＣＲ２は、９０％である。
制御充電率ＣＲ２は、蓄電池ＢＴが過充電されることによる劣化を防ぐため、蓄電池ＢＴの充電率を低く制御するための割合である。つまり、制御充電率ＣＲ２の割合は、蓄電池ＢＴの動作寿命に基づいて設定された割合である。
【００６１】
図７に戻り、劣化充電率情報ＤＣＲとは、蓄電池ＢＴが劣化していると判定された場合の、蓄電池ＢＴの充電状態の制御に用いられる情報である。この一例では、劣化充電率情報ＤＣＲは、９０％を示す。
【００６２】
制御部２００は、ＣＰＵを備えており、劣化判定部１１０と、温度測定部１２０と、充電率制御部２１０とをその機能部として備える。
【００６３】
本実施形態において、充電率制御部２１０は、劣化判定部１１０から取得した判定結果Ｊが蓄電池ＢＴが劣化していないことを示す場合、蓄電池ＢＴを制御モードＭ１によって蓄電池ＢＴの充電状態を制御する。また、本実施形態において充電率制御部２１０は、劣化判定部１１０から取得した判定結果Ｊが蓄電池ＢＴが劣化していることを示す場合、制御モードＭ２によって蓄電池ＢＴの充電状態を制御する。
以下、図７と、図９とを参照して、制御モードＭ１の詳細について説明する。
【００６４】
図９は、本実施形態の蓄電池ＢＴが劣化していないと判定された場合の蓄電池ＢＴの充電状態の制御の動作の一例を示す流れ図である。
図７に示す通り、温度測定部１２０は、温度計ＴＭが計測した蓄電池ＢＴの表面の温度の値を示す温度Ｔを測定する（図９  ステップＳ５１０）。温度測定部１２０は、温度Ｔを示す測定結果ＭＲを充電率制御部２１０へ供給する（図９  ステップＳ５２０）。充電率制御部２１０は、記憶部２５０から基準温度情報ＳＴを読み出す（図９  ステップＳ５３０）。充電率制御部２１０は、測定結果ＭＲに示される温度Ｔと、基準温度情報ＳＴと、基準充電率情報ＳＣＲとに基づいて、充電部５００−１へ制御充電率ＣＲを供給する。
【００６５】
具体的には、図９に示す通り、充電率制御部２１０は、温度測定部１２０から取得した測定結果ＭＲに示される温度Ｔが基準温度情報ＳＴが示す値より小さい値か否かを判定する（ステップＳ５４０）。測定結果ＭＲに示される温度Ｔが基準温度情報ＳＴが示す値より小さい場合（ステップＳ５４０；ＹＥＳ）、充電率制御部２１０は、基準充電率情報ＳＣＲに含まれる制御充電率ＣＲ１を充電部５００−１へ供給する（ステップＳ５５０）。充電部５００−１は、充電率制御部２１０から取得した制御充電率ＣＲ１に基づいて、蓄電池ＢＴの充電状態が制御充電率ＣＲ１となるように制御する（ステップＳ５６０）。
【００６６】
また、測定結果ＭＲに示される温度Ｔが基準温度情報ＳＴが示す値より大きい場合（ステップＳ５４０；ＮＯ）、充電率制御部２１０は、基準充電率情報ＳＣＲに含まれる制御充電率ＣＲ２を充電部５００−１へ供給する（ステップＳ５７０）。充電部５００−１は、充電率制御部２１０から取得した制御充電率ＣＲ２に基づいて、蓄電池ＢＴの充電状態が制御充電率ＣＲ２となるように制御する（ステップＳ５８０）。
以降の説明において、制御充電率ＣＲ１、制御充電率ＣＲ２とを特に区別しない場合には、総称して制御充電率ＣＲと記載する。
【００６７】
ここで、制御充電率ＣＲ１と、制御充電率ＣＲ２とでは、制御充電率ＣＲ１の方が高い割合を示す。すなわち、蓄電池ＢＴの充電状態は、制御充電率ＣＲ１に基づいて制御される充電状態と、制御充電率ＣＲ２に基づいて制御される充電状態とでは、前者の方が高い充電状態であり、後者の方が低い充電状態である。
また、上述したように、制御充電率ＣＲ２の値は、蓄電池ＢＴの動作寿命に基づいて、設定された値である。すなわち、制御充電率ＣＲ２に基づいて蓄電池ＢＴの充電状態が制御される場合、蓄電池ＢＴの充電状態は、蓄電池ＢＴの動作寿命に基づく状態である。
以降の説明において、制御充電率ＣＲ２に基づいて制御された蓄電池ＢＴの充電状態を基準状態と記載する。
すなわち、充電率制御部２１０は、蓄電池ＢＴの充電状態を制御充電率ＣＲ１に基づいて制御することにより、蓄電池ＢＴの充電状態を基準状態より高い状態に制御する。また、充電率制御部２１０は、蓄電池ＢＴの充電状態を制御充電率ＣＲ２に基づいて制御することにより、蓄電池ＢＴの充電状態を基準状態に制御する。
【００６８】
これにより、充電状態制御装置２は、蓄電池ＢＴが劣化しない場合であって、かつ蓄電池ＢＴが使用される環境の温度が低い場合、蓄電池ＢＴの充電状態を基準状態より高い状態に制御する。
また、充電状態制御装置２は、蓄電池ＢＴが劣化していないと判定された場合であって、かつ蓄電池ＢＴが使用される環境の温度が高い場合、蓄電池ＢＴの充電状態を基準状態に制御する。
【００６９】
なお、上述では、充電状態制御装置２は、蓄電池ＢＴが劣化していないと判定された場合であって、かつ蓄電池ＢＴが使用される環境の温度が高い場合、蓄電池ＢＴの充電状態を基準状態に制御する場合について説明したが、これに限られない。充電状態制御装置２は、蓄電池ＢＴが劣化していないと判定された場合であって、かつ蓄電池ＢＴが使用される環境の温度が高い場合には、蓄電池ＢＴの状態を基準状態より低い状態に制御してもよい。
すなわち、充電状態制御装置２は、蓄電池ＢＴが劣化していないと判定された場合であって、かつ蓄電池ＢＴが使用される環境の温度が高い場合、蓄電池ＢＴの充電状態を基準状態より低い状態に制御してもよい。
【００７０】
次に、図１０を参照して制御モードＭ２について説明する。図１０は、本実施形態の蓄電池ＢＴが劣化していると判定された場合の蓄電池ＢＴの充電状態の制御の動作の一例を示す流れ図である。制御モードＭ２とは、蓄電池ＢＴの充電状態を蓄電池ＢＴの動作寿命に基づく状態に制御する制御方式である。
図１０に示す通り、充電率制御部２１０は、記憶部２５０から劣化充電率情報ＤＣＲを読み出す（ステップＳ７１０）。充電率制御部２１０は、劣化充電率情報ＤＣＲを充電部５００−１へ供給する（ステップＳ７２０）。上述したように、この一例では、劣化充電率情報ＤＣＲが９０％である。充電部５００−１は、充電率制御部２１０から取得した劣化充電率情報ＤＣＲに基づいて、蓄電池ＢＴの充電状態が劣化充電率情報ＤＣＲ（９０％）となるように制御する（ステップＳ７３０）。
【００７１】
以上説明したように、充電状態制御装置２には、電圧計ＶＭと、電流計ＡＭと、温度計ＴＭと、充電部５００−１とが接続される。また、充電状態制御装置２は、制御部２００と、記憶部２５０とを備える。
制御部２００は、劣化判定部１１０と、温度測定部１２０と、充電率制御部２１０とをその機能部として備える。
劣化判定部１１０は、蓄電池ＢＴの劣化の有無を判定する。温度測定部１２０は、温度計ＴＭが計測する蓄電池ＢＴの表面の温度Ｔを測定する。
【００７２】
充電率制御部２１０は、劣化判定部１１０の判定結果Ｊと、温度測定部１２０が測定した蓄電池ＢＴの表面の温度Ｔを示す測定結果ＭＲとに基づいて、充電部５００−１へ制御充電率ＣＲを供給する。充電部５００−１は、充電率制御部２１０から取得した制御充電率ＣＲに基づいて、蓄電池ＢＴが蓄電することができる電池容量と、蓄電池ＢＴに蓄積された電力の残量との比である充電率を蓄電池ＢＴの充電状態として制御する。
ここで、上述した通り、蓄電池ＢＴの充電状態とは、蓄電池ＢＴのエネルギー密度の状態である。
すなわち、本実施形態の充電状態制御装置２によれば、蓄電池ＢＴの充電状態であるエネルギー密度の状態を、蓄電池ＢＴが蓄電することができる電池容量と、蓄電池ＢＴに蓄積された電力の残量との比である充電率によって制御することができる。
【００７３】
充電率制御部２１０は、劣化判定部１１０の判定結果Ｊが蓄電池ＢＴが劣化していないことを示す場合には、蓄電池ＢＴの充電状態を制御モードＭ１に基づいて制御する。制御モードＭ１とは、温度Ｔに基づいて、蓄電池ＢＴの充電状態をバックアップ時間を優先する状態または蓄電池ＢＴの動作寿命に基づく状態に制御する制御方式である。制御モードＭ１の制御の選択に用いられる温度Ｔは、温度測定部１２０が測定した測定結果ＭＲに示される温度Ｔである。つまり、制御モードＭ１は、温度測定部１２０が測定した測定結果ＭＲに示される温度Ｔに基づいて、蓄電池ＢＴの充電状態を制御する制御方式である。
【００７４】
具体的には、充電率制御部２１０は、劣化判定部１１０の判定結果Ｊが蓄電池ＢＴが劣化していないことを示す場合において、測定結果ＭＲに示される温度Ｔが、基準温度情報ＳＴより低い値を示す場合、蓄電池ＢＴの充電状態を制御充電率ＣＲ１に基づいて制御する。すなわち、充電率制御部２１０は、劣化判定部１１０の判定結果Ｊが蓄電池ＢＴが劣化していないことを示す場合において、測定結果ＭＲに示される温度Ｔが蓄電池ＢＴが使用される環境の基準温度情報ＳＴより低い値を示す場合、蓄電池ＢＴの充電状態を蓄電池ＢＴの動作寿命に基づく基準状態より高い状態に制御する。
【００７５】
また、充電率制御部２１０は、劣化判定部１１０の判定結果Ｊが蓄電池ＢＴが劣化していないことを示す場合において、測定結果ＭＲに示される温度Ｔが基準温度情報ＳＴより高い値を示す場合、蓄電池ＢＴの充電状態を制御充電率ＣＲ２に基づいて制御する。すなわち、充電率制御部２１０は、劣化判定部１１０の判定結果Ｊが蓄電池ＢＴが劣化していないことを示す場合において、測定結果ＭＲに示される温度Ｔが基準温度情報ＳＴより高い値を示す場合、蓄電池ＢＴの充電状態を蓄電池ＢＴの動作寿命に基づく基準状態より低い状態に制御する。
【００７６】
また、充電率制御部２１０は、劣化判定部１１０の判定結果Ｊが蓄電池ＢＴが劣化していることを示す場合において、蓄電池ＢＴの充電状態を制御モードＭ２に基づいて制御する。制御モードＭ２とは、蓄電池ＢＴの動作寿命に基づいて、蓄電池ＢＴの充電状態を制御する制御方式である。
具体的には、充電率制御部２１０は、蓄電池ＢＴの充電状態を劣化充電率情報ＤＣＲに基づいて制御する。これにより、充電率制御部２１０は、劣化判定部１１０の判定結果Ｊが蓄電池ＢＴが劣化していることを示す場合において、蓄電池ＢＴの充電状態を蓄電池ＢＴの動作寿命に基づく基準状態より低い状態に制御する。
【００７７】
［まとめ］
以上説明したように、第１実施形態の充電状態制御装置１は、蓄電池ＢＴのエネルギー密度の状態を、電圧によって制御する。上述したように、蓄電池ＢＴの充電状態とは、蓄電池ＢＴのエネルギー密度の状態である。すなわち、第１実施形態の充電状態制御装置１は、電圧制御部１３０が蓄電池ＢＴの放電電圧または充電電圧を制御することによって、蓄電池ＢＴのエネルギー密度の状態を制御することができる。具体的には、電圧制御部１３０は、蓄電池ＢＴの放電電圧または充電電圧を基準状態より高い値に制御することによって、蓄電池ＢＴのエネルギー密度を高い状態に制御することができる。また、電圧制御部１３０は、蓄電池ＢＴの放電電圧または充電電圧を基準状態より低い値に制御することによって、蓄電池ＢＴのエネルギー密度を低い状態に制御することができる。
【００７８】
また、第２実施形態の充電状態制御装置２は、蓄電池ＢＴの充電状態を蓄電池ＢＴの充電率によって制御する。すなわち、第２実施形態の充電状態制御装置２は、充電率制御部２１０が蓄電池ＢＴの充電率を制御することによって、蓄電池ＢＴのエネルギー密度の状態を制御することができる。具体的には、充電率制御部２１０は、蓄電池ＢＴの充電率を基準状態より高い割合に制御することによって、蓄電池ＢＴのエネルギー密度を高い状態に制御することができる。また、充電率制御部２１０は、蓄電池ＢＴの充電率を基準状態より低い割合に制御することによって、蓄電池ＢＴのエネルギー密度を低い状態に制御することができる。
【００７９】
つまり、電圧制御部１３０が制御する蓄電池ＢＴの放電電圧または充電電圧と、充電率制御部２１０が制御する蓄電池ＢＴの充電率とは、蓄電池ＢＴのエネルギー密度の状態の制御方法の一例である。
以降の説明において、電圧制御部１３０と、充電率制御部２１０とを総称して充電制御部と記載する。また、以降の説明において充電状態制御装置１と、充電状態制御装置２とを総称して充電状態制御装置と記載する。
【００８０】
充電状態制御装置は、劣化判定部１１０と、温度測定部１２０と、充電制御部とを備える。劣化判定部１１０は、蓄電池ＢＴの劣化の有無を判定する。温度測定部１２０は、蓄電池ＢＴの表面の温度Ｔを測定する。充電制御部は、劣化判定部１１０の判定結果Ｊと、温度測定部１２０が測定した測定結果ＭＲとに基づいて、蓄電池ＢＴの充電状態を制御する。
【００８１】
従来の技術では、蓄電池ＢＴの劣化の進行を抑制するために蓄電池ＢＴの充電状態が低く保たれることにより、蓄電池ＢＴが負荷Ｌへ電力を供給することができるバックアップ時間を長くすることができないという問題があった。また、これに対して、蓄電池ＢＴの充電状態を単純に高くした場合であって、かつ蓄電池ＢＴが使用される環境の温度Ｔが基準温度情報ＳＴより高い場合には、蓄電池ＢＴの劣化が進行する問題があった。
【００８２】
充電制御部は、劣化判定部１１０の判定結果Ｊが蓄電池ＢＴが劣化していないことを示す場合には、温度測定部１２０の判定結果Ｊに応じて蓄電池ＢＴの充電状態を制御する。
また、充電制御部は、劣化判定部１１０の判定結果Ｊが蓄電池ＢＴが劣化していることを示す場合には、蓄電池ＢＴの充電状態を蓄電池ＢＴの動作寿命に基づく基準状態に制御する。
【００８３】
具体的には、充電制御部は、劣化判定部１１０の判定結果Ｊが蓄電池ＢＴが劣化していないことを示す場合において、温度測定部１２０が測定した測定結果ＭＲに示される温度Ｔが蓄電池ＢＴが使用される環境の基準温度情報ＳＴより低い値を示す場合、充電状態を蓄電池ＢＴの基準状態より高い状態に制御する。
また、充電制御部は、劣化判定部１１０の判定結果Ｊが蓄電池ＢＴが劣化していないことを示す場合において、温度測定部１２０が測定した測定結果ＭＲに示される温度Ｔが蓄電池ＢＴが使用される環境の基準温度情報ＳＴより高い値を示す場合、充電状態を基準状態より低い状態に制御する。
【００８４】
すなわち、充電状態制御装置によれば、蓄電池ＢＴが劣化していないと判定された場合であって、かつ温度Ｔが基準温度情報ＳＴより低い場合には、蓄電池ＢＴの充電状態を基準状態より高い状態に制御することができる。また、第１実施形態の充電状態制御装置１および第２実施形態の充電状態制御装置２によれば、蓄電池ＢＴが劣化していないと判定された場合であって、かつ温度Ｔが基準温度情報ＳＴより高い場合には、蓄電池ＢＴの充電状態を基準状態より低い状態に制御することができる。
これにより、充電状態制御装置は、蓄電池ＢＴが劣化していないと判定された場合には、蓄電池ＢＴのバックアップ時間を長くする制御を行いつつ、蓄電池ＢＴが使用される環境の温度に応じて、蓄電池ＢＴの劣化を抑制する制御を行うことができる。
【００８５】
充電制御部は、劣化判定部１１０の判定結果Ｊが蓄電池ＢＴが劣化していることを示す場合において、充電状態を蓄電池ＢＴの動作寿命に基づく基準状態より低い状態に制御する。
【００８６】
すなわち、第１実施形態の充電状態制御装置１および第２実施形態の充電状態制御装置２によれば、蓄電池ＢＴが劣化していると判定された場合には、蓄電池ＢＴの劣化を抑止する制御を行うことができる。
【００８７】
つまり、充電状態制御装置によれば、劣化判定部１１０による蓄電池ＢＴの劣化の有無の判定結果Ｊと、温度測定部１２０による蓄電池ＢＴが使用される環境の温度の測定結果ＭＲとに基づいて、充電制御部が蓄電池ＢＴの制御状態を制御することができる。
すなわち、充電状態制御装置によれば、蓄電池ＢＴの劣化の有無と、蓄電池ＢＴが使用される環境の温度とに基づいて、蓄電池のバックアップ時間を長くしつつ、蓄電池の劣化の進行を抑制することができる。
【００８８】
［第３実施形態］
以下、図を参照して本発明の第３実施形態について説明する。図１１は、第３実施形態の充電状態制御装置３の構成の一例を示す構成図である。なお、上述した第１実施形態および第２実施形態と同様の構成および動作については、同一の符号を付してその説明を省略する。
図１１に示す通り、充電状態制御装置３には、電流計ＡＭと、電圧計ＶＭと、温度計ＴＭと、充電部５００と、温度調節部６００とが接続される。
温度調節部６００は、充電状態制御装置１から供給される基準温度情報ＳＴに基づいて、蓄電池ＢＴが使用される環境の温度を既知の方法によって調整する。
また、本実施形態の充電状態制御装置３は、制御部３００と、記憶部１５０とを備える。
【００８９】
制御部３００は、ＣＰＵを備えており、劣化判定部１１０と、温度測定部１２０と、電圧制御部１３０と、周囲温度制御部３１０とをその機能部として備える。
【００９０】
なお、上述では、制御部３００が温度測定部１２０を備える場合について説明したが、これに限られない。制御部３００は、温度測定部１２０に代わって充電率制御部２１０を備えてもよい。また、この場合、充電状態制御装置３は、記憶部１５０に代わって記憶部２５０を備えてもよい。
【００９１】
図１１に示す通り、周囲温度制御部３１０は、劣化判定部１１０から判定結果Ｊを取得する。周囲温度制御部３１０は、判定結果Ｊが蓄電池ＢＴが劣化していないことを示す場合、記憶部１５０から基準温度情報ＳＴを読み出す。周囲温度制御部３１０は、読み出した基準温度情報ＳＴを温度調節部６００へ供給する。
温度調節部６００は、周囲温度制御部３１０から取得した基準温度情報ＳＴに基づいて、蓄電池ＢＴが使用される環境の温度が基準温度情報ＳＴが示す温度より低くなるように、蓄電池ＢＴが使用される環境の温度を調節する。
【００９２】
以上説明したように、本実施形態の充電状態制御装置３には、電圧計ＶＭと、電流計ＡＭと、温度計ＴＭと、充電部５００と、温度調節部６００とが接続される。また、充電状態制御装置３は、制御部３００と、記憶部１５０とを備える。
制御部３００は、劣化判定部１１０と、温度測定部１２０と、電圧制御部１３０と、周囲温度制御部３１０とをその機能部として備える。周囲温度制御部３１０は、蓄電池ＢＴの周囲温度を制御する。
【００９３】
具体的には、周囲温度制御部３１０は、劣化判定部１１０の判定結果Ｊが蓄電池ＢＴが劣化していないことを示す場合、基準温度情報ＳＴに基づいて、蓄電池ＢＴの周囲温度を基準温度情報ＳＴが示す温度より低くなるように調整する。
つまり、周囲温度制御部３１０は、劣化判定部１１０の判定結果Ｊが示す通り、蓄電池ＢＴの状態が基準状態より高い状態の場合、基準温度情報ＳＴの周囲温度を基準温度情報ＳＴが示す温度より低くなるように調節する。
すなわち、本実施形態の充電状態制御装置３は、蓄電池ＢＴの状態が基準状態より高い状態の場合、周囲温度制御部３１０が蓄電池ＢＴの周囲温度を下げることにより、蓄電池ＢＴの周囲温度を下げない場合と比較してバックアップ時間を長くする制御を長時間行うことができる。
【００９４】
［変形例１：季節に応じた充電状態の制御］
以下、図を参照して本発明の第１実施形態、第２実施形態および第３実施形態に係る変形例について説明する。図１２は、変形例１の基準制御電圧情報ＳＣＶと、季節情報ＳＳとの関係の一例を示す表である。ここでは、説明の便宜上、充電状態制御装置が充電状態制御装置１である場合を一例として説明する。
変形例１の充電状態制御装置１は、制御部１００の機能部として、充電状態制御装置１が充電状態を制御する蓄電池ＢＴが設置される場所の季節を判定する季節判定部を更に備える。季節判定部は、既知の方法により、蓄電池ＢＴが設置される場所の季節を判定する。また、季節判定部は、蓄電池ＢＴが設置される場所の季節を示す季節情報ＳＳを判定した判定結果として電圧制御部１３０へ供給する。電圧制御部１３０は、劣化判定部１１０の判定結果Ｊと、温度計ＴＭの測定結果ＭＲと、季節判定部の判定結果である季節情報ＳＳとに基づいて、蓄電池ＢＴの充電状態を制御する。
【００９５】
具体的には、図１２に示す通り、季節情報ＳＳが春、秋および冬を示す場合、電圧制御部１３０は、蓄電池ＢＴの充電状態を基準状態より高い状態に、つまり制御電圧値ＣＶ１に基づいて制御する。また、図１２に示す通り、季節情報ＳＳが夏を示す場合、電圧制御部１３０は、蓄電池ＢＴの充電状態を基準状態より低い状態に、つまり制御電圧値ＣＶ２に基づいて制御する。
【００９６】
以上説明したように、変形例１の充電状態制御装置１は、制御部１００の機能部として、劣化判定部１１０、温度測定部１２０、電圧制御部１３０および季節判定部を備える。季節判定部は、充電状態制御装置１が充電状態を制御する蓄電池ＢＴが設置される場所の現在の季節を判定する。電圧制御部１３０は、季節判定部が判定した判定結果を示す季節情報ＳＳと、判定結果Ｊと、測定結果ＭＲとに基づいて、蓄電池ＢＴの充電状態を制御する。
【００９７】
ここで、測定結果ＭＲに示される温度Ｔが基準温度情報ＳＴより高い値を示す期間は、蓄電池ＢＴが設置される場所の季節と関連する場合がある。例えば、季節判定部の判定結果である季節情報ＳＳが夏を示す場合には、温度測定部１２０が測定した測定結果ＭＲに示される温度Ｔが基準温度情報ＳＴより高くなる頻度が増える場合がある。具体的には、蓄電池ＢＴが設置される場所の季節が夏の場合には、測定結果ＭＲに示される温度Ｔが基準温度情報ＳＴより高くなる頻度が、春、秋および冬と比較して増える。
すなわち、充電状態制御装置１は、蓄電池ＢＴの充電状態を季節判定部の判定結果である季節情報ＳＳに基づいて制御する。これにより、充電状態制御装置１は、温度測定部１２０が測定した測定結果ＭＲに基づいて蓄電池ＢＴの充電状態を逐次制御する場合と比較して処理の負荷を低減することができる。
【００９８】
［変形例２：地域に応じた充電状態の制御］
以下、図を参照して本発明の第１実施形態、第２実施形態および第３実施形態に係る変形例について説明する。図１３は、変形例２の基準制御電圧情報ＳＣＶと、地域情報ＡＲとの関係の一例を示す表である。ここでは、説明の便宜上、充電状態制御装置が充電状態制御装置１である場合を一例として説明する。
変形例２の充電状態制御装置１は、制御部１００の機能部として、充電状態制御装置１が充電状態を制御する蓄電池ＢＴが設置される場所の地域を判定する地域判定部を更に備える。地域判定部は、既知の方法により、蓄電池ＢＴが設置される場所の地域を判定する。また、地域判定部は、蓄電池ＢＴが設置される場所の地域を示す地域情報ＡＲを判定した判定結果として電圧制御部１３０へ供給する。電圧制御部１３０は、劣化判定部１１０の判定結果Ｊと、温度計ＴＭの測定結果ＭＲと、地域判定部の判定結果である地域情報ＡＲとに基づいて、蓄電池ＢＴの充電状態を制御する。
【００９９】
具体的には、図１３に示す通り、地域情報ＡＲが北海道、東北、関東および中部を示す場合、電圧制御部１３０は、蓄電池ＢＴの充電状態を基準状態より高い状態に、つまり制御電圧値ＣＶ１に基づいて制御する。また、図１３に示す通り、地域情報ＡＲが四国および九州沖縄を示す場合、電圧制御部１３０は、蓄電池ＢＴの充電状態を基準状態より低い状態に、つまり制御電圧値ＣＶ２に基づいて制御する。
【０１００】
以上説明したように、変形例２の充電状態制御装置１は、制御部１００の機能部として、劣化判定部１１０、温度測定部１２０、電圧制御部１３０および地域判定部を備える。地域判定部は、充電状態制御装置１が充電状態を制御する蓄電池ＢＴが設置される場所の地域を判定する。電圧制御部１３０は、地域判定部が判定した判定結果を示す地域情報ＡＲと、判定結果Ｊと、測定結果ＭＲとに基づいて、蓄電池ＢＴの充電状態を制御する。
【０１０１】
ここで、測定結果ＭＲに示される温度Ｔが基準温度情報ＳＴより高い値を示す地域は、蓄電池ＢＴが設置される場所の地域と関連する場合がある。例えば、地域判定部の判定結果である地域情報ＡＲが九州沖縄を示す場合には、温度測定部１２０が測定した測定結果ＭＲに示される温度Ｔが基準温度情報ＳＴより頻度が増える場合がある。具体的には、蓄電池ＢＴが設置される場所の地域が九州沖縄の場合には、測定結果ＭＲに示される温度Ｔが基準温度情報ＳＴより高くなる頻度が、他の地域と比較して増える。
すなわち、充電状態制御装置１は、蓄電池ＢＴの充電状態を地域判定部の判定結果である地域情報ＡＲに基づいて制御することにより、温度測定部１２０が測定した測定結果ＭＲに基づいて蓄電池ＢＴの充電状態を逐次制御する場合と比較して処理の負荷を低減することができる。
【０１０２】
［変形例３：時間帯に応じた充電状態の制御］
以下、図を参照して本発明の第１実施形態、第２実施形態および第３実施形態に係る変形例について説明する。図１４は、変形例３の基準制御電圧情報ＳＣＶと、時間帯情報ＰＴとの関係の一例を示す表である。ここでは、説明の便宜上、充電状態制御装置が充電状態制御装置１である場合を一例として説明する。
変形例３の充電状態制御装置１は、制御部１００の機能部として、充電状態制御装置１が充電状態を制御する蓄電池ＢＴが設置される場所の時刻に基づいて、時間帯を判定する時間帯判定部を更に備える。ここで、時間帯とは、ある時刻から当該ある時刻とは異なる時刻までの時間の幅である。具体的には、時間帯とは、日中の時間帯および夜間の時間帯等によって示される時間の幅である。時間帯判定部は、既知の方法により、蓄電池ＢＴが設置される場所の時間帯を判定する。この一例では、時間帯判定部が蓄電池ＢＴが設置される場所の時間帯が７時から１８時までの時間帯であるか、１８時から７時までの時間帯であるかを判定する。また、時間帯判定部は、蓄電池ＢＴが設置される場所の時間帯を示す時間帯情報ＰＴを判定した判定結果として電圧制御部１３０へ供給する。電圧制御部１３０は、劣化判定部１１０の判定結果Ｊと、温度計ＴＭの測定結果ＭＲと、時間帯判定部の判定結果である時間帯情報ＰＴとに基づいて、蓄電池ＢＴの充電状態を制御する。
【０１０３】
具体的には、図１４に示す通り、時間帯情報ＰＴが７時から１８時までを示す場合、電圧制御部１３０は、蓄電池ＢＴの充電状態を基準状態より高い状態に、つまり制御電圧値ＣＶ１に基づいて制御する。また、図１４に示す通り、時間帯情報ＰＴが１８時から７時までを示す場合、電圧制御部１３０は、蓄電池ＢＴの充電状態を基準状態より低い状態に、つまり制御電圧値ＣＶ２に基づいて制御する。
【０１０４】
以上説明したように、変形例３の充電状態制御装置１は、制御部１００の機能部として、劣化判定部１１０、温度測定部１２０、電圧制御部１３０および時間帯判定部を備える。時間帯判定部は、充電状態制御装置１が充電状態を制御する蓄電池ＢＴが設置される場所の時間帯を判定する。電圧制御部１３０は、時間帯判定部が判定した判定結果を示す時間帯情報ＰＴと、判定結果Ｊと、測定結果ＭＲとに基づいて、蓄電池ＢＴの充電状態を制御する。
【０１０５】
ここで、蓄電池ＢＴに接続される負荷Ｌが消費する電力は、蓄電池ＢＴが設置される場所の時間帯と関連する場合がある。例えば、日中稼働する工場が負荷Ｌである場合、時間帯判定部の判定結果である時間帯情報ＰＴが７時から１８時までの場合と、１８時から７時までとでは、７時から１８時までの方が負荷Ｌが消費する電力が大きくなる場合がある。これに伴い、電圧制御部１３０は、時間帯情報ＰＴが７時から１８時までを示す場合は、蓄電池ＢＴの充電状態を基準状態より高くする制御を行う。これにより、充電状態制御装置１は、蓄電池ＢＴの充電状態を負荷Ｌのバックアップ時間を長くする制御を行うことができる。
すなわち、充電状態制御装置１は、蓄電池ＢＴの充電状態を時間帯判定部の判定結果である時間帯情報ＰＴに基づいて制御することにより、負荷Ｌのバックアップ時間を長くする制御を行うことができる。
【０１０６】
［変形例４：蓄電池ＢＴの使用開始からの経過時間に応じた充電状態の制御］
以下、図を参照して本発明の第１実施形態、第２実施形態および第３実施形態に係る変形例について説明する。図１５は、変形例４の基準制御電圧情報ＳＣＶと、経過時間情報ＥＴとの関係の一例を示す表である。ここでは、説明の便宜上、充電状態制御装置が充電状態制御装置１である場合を一例として説明する。
変形例５の充電状態制御装置１は、制御部１００の機能部として、充電状態制御装置１が充電状態を制御する蓄電池ＢＴが使用開始され、かつ使用経過時間の判定が開始されてから現在までの期間である判定対象期間のうち、判定対象期間の開始から経過した時間を判定する経過時間判定部を更に備える。経過時間判定部は、既知の方法により、判定対象期間の開始から現在までの時間を判定する。時間帯判定部は、判定対象期間の開始から現在までの経過時間を示す経過時間情報ＥＴを判定した判定結果として電圧制御部１３０へ供給する。電圧制御部１３０は、劣化判定部１１０の判定結果Ｊと、温度計ＴＭの測定結果ＭＲと、経過時間判定部の判定結果である経過時間情報ＥＴとに基づいて、蓄電池ＢＴの充電状態を制御する。
【０１０７】
具体的には、図１５に示す通り、経過時間情報ＥＴが３００００時間未満を示す場合、電圧制御部１３０は、蓄電池ＢＴの充電状態を基準状態より高い状態に（制御電圧値ＣＶ１に基づいて）制御する。また、図１５に示す通り、経過時間情報ＥＴが３００００時間以上を示す場合、電圧制御部１３０は、蓄電池ＢＴの充電状態を基準状態より低い状態に（制御電圧値ＣＶ２に基づいて）制御する。
【０１０８】
以上説明したように、変形例４の充電状態制御装置１は、制御部１００の機能部として、劣化判定部１１０、温度測定部１２０、電圧制御部１３０および経過時間判定部を備える。経過時間判定部は、充電状態制御装置１が充電状態を制御する蓄電池ＢＴが使用開始され、かつ使用経過時間の判定が開始されてから現在までの期間である判定対象期間のうち、判定対象期間の開始から経過した時間を判定する。電圧制御部１３０は、経過時間判定部が判定した判定結果を示す経過時間情報ＥＴと、判定結果Ｊと、測定結果ＭＲとに基づいて、蓄電池ＢＴの充電状態を制御する。
【０１０９】
ここで、蓄電池ＢＴの劣化の有無は、蓄電池ＢＴが使用され始めてから経過した時間と関連する場合がある。例えば、経過時間判定部の判定結果である経過時間情報ＥＴが３００００時間未満の場合と、３００００時間以上の場合とでは、３００００時間以上の場合の方が蓄電池ＢＴが劣化している場合がある。これに伴い、電圧制御部１３０は、経過時間情報ＥＴが３００００時間以上を示す場合は、蓄電池ＢＴの充電状態を基準状態より低くする制御を行う。これにより、充電状態制御装置１は、蓄電池ＢＴの充電状態を蓄電池ＢＴの劣化を考慮して制御を行うことができる。
すなわち、充電状態制御装置１は、蓄電池ＢＴの充電状態を経過時間判定部の判定結果である経過時間情報ＥＴに基づいて制御することにより、蓄電池ＢＴの劣化を考慮して制御を行うことができる。
【０１１０】
なお、上記の各実施形態における充電状態制御装置１、充電状態制御装置２および充電状態制御装置３が備える各部は、専用のハードウェアにより実現されるものであってもよく、また、メモリおよびマイクロプロセッサにより実現させるものであってもよい。
【０１１１】
なお、充電状態制御装置１、充電状態制御装置２および充電状態制御装置３が備える各部は、メモリおよびＣＰＵ（中央演算装置）により構成され、充電状態制御装置１、充電状態制御装置２および充電状態制御装置３が備える各部の機能を実現するためのプログラムをメモリにロードして実行することによりその機能を実現させるものであってもよい。
【０１１２】
また、充電状態制御装置１、充電状態制御装置２および充電状態制御装置３が備える各部の機能を実現するためのプログラムをコンピュータ読み取り可能な記録媒体に記録して、この記録媒体に記録されたプログラムをコンピュータシステムに読み込ませ、実行することにより処理を行ってもよい。なお、ここでいう「コンピュータシステム」とは、ＯＳや周辺機器等のハードウェアを含むものとする。
【０１１３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【０１１４】
以上、本発明の実施形態を、図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【符号の説明】
【０１１５】
１、２、３…充電状態制御装置、１００、２００、３００…制御部、１１０…劣化判定部、１２０…温度測定部、１３０…電圧制御部、１５０、２５０…記憶部、２１０…充電率制御部、３１０…周囲温度制御部、５００、５００−１…充電部、６００…温度調節部、ＡＭ…電流計、ＶＭ…電圧計、ＴＭ…温度計、ＡＶ…電源、ＢＴ…蓄電池、Ｉ…電流情報、Ｖ…電圧情報、Ｔ…温度、ＩＲ…内部抵抗、Ｊ…判定結果、ＭＲ…測定結果、Ｌ…負荷、Ｍ１、Ｍ２…制御モード、ＣＲ、ＣＲ１、ＣＲ２…制御充電率、ＣＶ、ＣＶ１、ＣＶ２…制御電圧値、ＳＣＲ…基準充電率情報、ＳＣＶ…基準制御電圧情報、ＳＤＧ…基準劣化情報、ＳＴ…基準温度情報、ＤＣＲ…劣化充電率情報、ＤＣＶ…劣化電圧情報、ＳＳ…季節情報、ＡＲ…地域情報、ＰＴ…時間帯情報、ＥＴ…経過時間情報
【図１】
0006734083.tif 000002
【図２】
0006734083.tif 000003
【図３】
0006734083.tif 000004
【図４】
0006734083.tif 000005
【図５】
0006734083.tif 000006
【図６】
0006734083.tif 000007
【図７】
0006734083.tif 000008
【図８】
0006734083.tif 000009
【図９】
0006734083.tif 000010
【図１０】
0006734083.tif 000011
【図１１】
0006734083.tif 000012
【図１２】
0006734083.tif 000013
【図１３】
0006734083.tif 000014
【図１４】
0006734083.tif 000015
【図１５】
0006734083.tif 000016